(57)【特許請求の範囲】
【請求項１】
酸化分解およびガムまたは沈澱物形成を防止する方法であって、脂肪族ニトロキシド化合物と、芳香族アミンもしくはフェノール系酸化防止剤もしくは芳香族アミンおよびフェノール系酸化防止剤の混合物との相乗混合物の有効安定化量をガソリンに添加することからなる方法。
【請求項２】
脂肪族ニトロキシドが、
ジ第三ブチルニトロキシル、
１−オキシル−２，２，６，６−テトラメチルピペリジン、
１−オキシル−２，２，６，６−テトラメチルピペリジン−４−オール、
１−オキシル−２，２，６，６−テトラメチルピペリジン−４−オン、
１−オキシル−２，２，６，６−テトラメチルピペリジン−４−イルアセテート、
１−オキシル−２，２，６，６−テトラメチルピペリジン−４−イル２−エチルヘキサノエート、
１−オキシル−２，２，６，６−テトラメチルピペリジン−４−イルステアレート、
１−オキシル−２，２，６，６−テトラメチルピペリジン−４−イルベンゾエート、
１−オキシル−２，２，６，６−テトラメチルピペリジン−４−イル４−第三ブチルベンゾエート、
ビス（１−オキシル−２，２，６，６−テトラメチルピペリジン−４−イル）スクシネート、
ビス（１−オキシル−２，２，６，６−テトラメチルピペリジン−４−イル）アジペート、
ビス（１−オキシル−２，２，６，６−テトラメチルピペリジン−４−イル）セバケート、
ビス（１−オキシル−２，２，６，６−テトラメチルピペリジン−４−イル）ｎ−ブチルマロネート、
ビス（１−オキシル−２，２，６，６−テトラメチルピペリジン−４−イル）フタレート、
ビス（１−オキシル−２，２，６，６−テトラメチルピペリジン−４−イル）イソフタレ
ート、
ビス（１−オキシル−２，２，６，６−テトラメチルピペリジン−４−イル）テレフタレート、
ビス（１−オキシル−２，２，６，６−テトラメチルピペリジン−４−イル）ヘキサヒドロテレフタレート、
Ｎ，Ｎ’−ビス（１−オキシル−２，２，６，６−テトラメチルピペリジン−４−イル）アジパミド、
Ｎ−（１−オキシル−２，２，６，６−テトラメチルピペリジン−４−イル）カプロラクタム、
Ｎ−（１−オキシル−２，２，６，６−テトラメチルピペリジン−４−イル）ドデシルスクシンイミド、
２，４，６−トリス（１−オキシル−２，２，６，６−テトラメチルピペリジン−４−イル）シアヌレート、
２，４，６−トリス〔Ｎ−ブチル−Ｎ−（１−オキシル−２，２，６，６−テトラメチルピペリジン−４−イル）〕−ｓ−トリアジン、
１−オキシル−２，２，６，６−テトラメチルピペリジン−４−イル３，５−ジ第三ブチル−４−ヒドロキシヒドロシンナメートまたは
４，４’−エチレンビス（１−オキシル−２，２，６，６−テトラメチルピペラジン−３−オン）
である請求項１記載の方法。
【請求項３】
芳香族アミンが
Ｎ，Ｎ’−ジイソプロピル−ｐ−フェニレンジアミン、
Ｎ，Ｎ’−ジ第二ブチル−ｐ−フェニレンジアミン、
Ｎ，Ｎ’−ジ第二ブチル−ｏ−フェニレンジアミン、
Ｎ，Ｎ’−ビス（１，４−ジメチルペンチル）−ｐ−フェニレンジアミン、
Ｎ，Ｎ’−ビス（１−エチル−３−メチルペンチル）−ｐ−フェニレンジアミン、
Ｎ，Ｎ’−ビス（１−メチルヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ジ（２−ナフチル）−ｐ−フェニレンジアミン、
Ｎ−イソプロピル−Ｎ’−フェニル−ｐ−フェニレンジアミン、
Ｎ−第二ブチル−Ｎ’−フェニル−ｏ−フェニレンジアミン、
Ｎ−（１，３−ジメチルブチル）−Ｎ’−フェニル−ｐ−フェニレンジアミン、
Ｎ−（１−メチルヘプチル）−Ｎ’−フェニル−ｐ−フェニレンジアミン、
Ｎ−シクロヘキシル−Ｎ’−フェニル−ｐ−フェニレンジアミン、
Ｎ，Ｎ’−ジメチル−Ｎ，Ｎ’−ジ第二ブチル−ｐ−フェニレンジアミン、
Ｎ，Ｎ’−ジ（１，４−ジメチルペンチル）−ｏ−フェニレンジアミン、
ジフェニルアミン、
Ｎ−アリルジフェニルアミン、
ジ（４−イソプロポキシフェニル）アミン、
Ｎ−フェニル−１−ナフチルアミン、
Ｎ−フェニル−２−ナフチルアミン、
オクチル化ジフェニルアミン、
ｐ，ｐ’−ジ第三オクチルジフェニルアミン、
ジ（４−メトキシフェニル）アミン、
第三オクチル化Ｎ−フェニル−１−ナフチルアミンまたは
モノ−およびジアルキル化第三ブチル−／第三オクチルジフェニルアミンの混合物
である請求項１記載の方法。
【請求項４】
（ａ）ガソリン、及び
（ｂ）脂肪族ニトロキシド化合物と、芳香族アミンもしくはフェノール系酸化防止剤もしくは芳香族アミンおよびフェノール系酸化防止剤の混合物との相乗混合物の有効安定化量の有効安定化量
からなる酸化分解に対して、およびガムまたは不所望の沈澱物形成に対して安定化された組成物。
【発明の詳細な説明】
【０００１】
【発明の属する技術分野】
本発明は、ガソリンにおけるガム沈澱物の形成を防止するための安定剤として、脂肪族ニトロキシドを単独で、または相乗性補助添加剤と一緒に使用する方法に関するものである。
【０００２】
【従来の技術】
内燃機関の燃料として広範囲に使用されるガソリンは異なる炭化水素の混合物である。ガソリンは多数の異なる方法により製造される。ガソリンの実際の組成はそれを処方するために使用される製造方法によりある程度決定され、そして燃料として使用される所望の最終用途によって変化し得る。製造方法には次のようなものがある：直留ガソリンを調製するための原油の分留；コークスガソリン(coker gasoline)を調製するための熱またはＦＣＣ（流動接触分解）における触媒による高分子量炭化水素のクラッキング（分解）；低分子量プロピルおよびブチル画分のカップリングによるジメートガソリン(dimate gasoline) の形成；  低オクタン価の原料油から高オクタン価のガソリンを触媒により調製し得る改質（リホーミング）；および低級オレフィン（エチレン，プロピレン等）製造の副産物としての熱分解ガソリンまたは「パイガス(pygas) 」の形成。
【０００３】
ガソリンを製造するために使用される方法とは全く別に、安定性、特に酸化分解からの安定性は深刻な問題である。ガソリンならびにその他の炭化水素燃料は保存下および実際の使用条件下の両方で粘性の沈澱物またはガムを形成することが知られている。これらのガム状の残留物は重大な問題を引き起こし得る。例えば、上記沈澱物はバルブを粘着性にし得、そしてそのような沈澱物はフィルターを閉塞させる可能性がある。これらの問題は燃料の取扱い性および燃焼性能の両方に悪影響を及ぼし得る。中でも異なるタイプのガソリン、パイガスおよび分解ガソリン（コークスおよびＦＣＣの両方）が酸化を最も受けやすく、そして沈澱物を最も形成しやすい。
【０００４】
ガソリン安定化の領域における研究が長年にわたり行われてきた。この目的のための安定剤の一つの共通する類は単独で、または他の物質との混合物で使用されるフェニレンジアミン（ＰＤＡ）である。米国特許第３３２２５２０号および同第３５５６７４８号はフェニレンジアミンが通常脂肪族または芳香族である置換基でＮ，Ｎ’−二置換されていることを教示している。米国特許第５５０９９４４号はＰＤＡ、ヒンダードフェノールおよびジメチルスルホキシド（ＤＭＳＯ）の混合物がＰＤＡ単独に比べより良好な性能を示すことを教示している。ガソリンが高い酸価（＞０．１ｍｇＫＯＨ／ｇガソリン）を有する場合、フェニレンジアミンは安定剤として十分に作用しない。米国特許第５１６９４１０号は強塩基性有機アミンの使用が酸部分と優先的に反応することにより、フェニレンジアミンの安定化効果を高めることを教示する。
【０００５】
米国特許第２３０５６７６号および同第２３３３２９４号はＮ−置換ｐ−アミノフェノール誘導体およびある種のポリアミンの使用が種々のガソリンの安定化において有効であることを明記している。米国特許第４６４８８８５号公報はポリアミンおよびＮ，Ｎ−ジエチルヒドロキシルアミンの混合物が蒸留燃料油のための有効な安定剤であることを開示している。
ＧＢ１３１６３４２は炭化水素、例えばガソリン、潤滑油、鉱油またはワックスの不所望の酸化を防止するための重要な化合物としてジアリールニトロキシドを示唆している。
【０００６】
しかしながら、ガソリンの酸化およびガソリン使用中に付着を起こすガム状沈澱物を防止するための上記の努力にもかかわらず、ガソリンをより効果的に安定化するための要望が依然としてある。この要望は、高レベルの不飽和に起因してより安定性が低い熱分解およびコークスガソリンの領域において、および高レベルの酸性不純物を有するガソリンにおいて大きい。
【０００７】
ニトロキシドは公知であり、そして長い間さまざまな用途に使用されてきた。それらはいくつかのビニルモノマーのための重合阻害剤として使用されている。米国特許第５２５４７６０号はスチレンおよび他の芳香族ビニル化合物の重合を阻害するための芳香族ニトロ化合物と組み合わせた安定なニトロキシル化合物の使用を教示している。米国特許第５３２２９６０号はニトロキシド、フェノールおよびフェノチアジンの混合物をアクリレート重合阻害剤として開示している。ブタジエンおよび他の低分子量オレフィンの精製の間の安定化におけるニトロキシドの使用は米国特許第４６７０１３１号に記録されている。米国特許第５４１２０４７号において教示されるような特定の条件下で、安定なニトロキシドラジカル（遊離基）は分子量多分散性を制御し、そして「リビング」ポリマーを製造するために作用し得る。安定なニトロキシドはまた、米国特許第５４９５０４５号および同第５１３６１０３号に示されるような酸化触媒として使用されている。米国特許第５４９６８７５号はポリマーのための光および熱安定剤としてのニトロキシドの使用を教示している。
【０００８】
ガソリンの安定剤として脂肪族ニトロキシドの使用を教示する従来技術はない。脂肪族ニトロキシドは非塩基性（または中性）であるので、それらは米国特許第５１６９４０１号に記載されるようなガソリン中の酸性成分と反応しない。従って、脂肪族ニトロキシドは、フェニレンジアミンが必要としたようなアミン補助添加剤を必要としない。
【０００９】
【発明が解決しようとする課題】
本発明の課題は、ガソリン、特にクラッキング（分解）により製造されるガソリンまたはオレフィン合成の副産物としてのガソリン（パイガス）が酸化分解および沈澱物形成に対して安定化され得る方法の提供である。
【００１０】
【課題を解決するための手段】
本発明は、ガソリンが処理および保存（貯蔵）される場合に、酸化を阻害し、そしてガムまたは他の沈澱物の形成を防止するガソリン混合物のための添加剤として脂肪族ニトロキシドの使用に関するものである。ガソリン混合物は上記したような直留ガソリン、コークスガソリン、ＦＣＣガソリン、ジメートガソリン、改質ガソリンまたは熱分解ガソリンの１またはそれ以上を含有するが、それらに限定されない。特に非常に不安定な熱分解ガソリンおよびコークスガソリンが脂肪族ニトロキシド安定剤の使用により有効に安定化される。
【００１１】
酸化分解およびガムまたは沈澱物形成を防止するための本発明の方法は、酸化または熱誘導分解を受けやすいガソリンに脂肪族ニトロキシド化合物の有効安定化量を添加することからなる。
【００１２】
脂肪族ニトロキシド化合物の有効安定化量は０．０５ないし１００００ｐｐｍ、好ましくは０．１ないし１００ｐｐｍ、最も好ましくは０．５ないし２５ｐｐｍである。
好ましくは、脂肪族ニトロキシドはヒンダードアミン脂肪族ニトロキシドである。
【００１３】
脂肪族ニトロキシドはいくつかの異なる種類からなっていてもよい。脂肪族（しばしばヒンダードアミン）の脂肪族ニトロキシドは本発明において有効であることが示されている。特に好ましいのは、一般的にはヒンダードアミンニトロキシルラジカル、すなわち少なくとも１つのＮＯ* （ここで星印* は不対電子を表し、そして窒素原子の両側には２個の炭素原子が位置し、その隣には水素原子が結合されている）を有する化合物である。これらの両側の炭素原子は種々の架橋基によりさらに連結されて環状構造、例えば６員のピペリジン、ピペラジン、５員のピロリジン等を形成してもよい。それらを以下に例示するが、これらに限定されない：
ジ第三ブチルニトロキシル、
１−オキシル−２，２，６，６−テトラメチルピペリジン、
１−オキシル−２，２，６，６−テトラメチルピペリジン−４−オール、
１−オキシル−２，２，６，６−テトラメチルピペリジン−４−オン、
１−オキシル−２，２，６，６−テトラメチルピペリジン−４−イルアセテート、
１−オキシル−２，２，６，６−テトラメチルピペリジン−４−イル２−エチルヘキサノエート、
１−オキシル−２，２，６，６−テトラメチルピペリジン−４−イルステアレート、
１−オキシル−２，２，６，６−テトラメチルピペリジン−４−イルベンゾエート、
１−オキシル−２，２，６，６−テトラメチルピペリジン−４−イル４−第三ブチルベンゾエート、
ビス（１−オキシル−２，２，６，６−テトラメチルピペリジン−４−イル）スクシネート、
ビス（１−オキシル−２，２，６，６−テトラメチルピペリジン−４−イル）アジペート、
ビス（１−オキシル−２，２，６，６−テトラメチルピペリジン−４−イル）セバケート、
ビス（１−オキシル−２，２，６，６−テトラメチルピペリジン−４−イル）ｎ−ブチルマロネート、
ビス（１−オキシル−２，２，６，６−テトラメチルピペリジン−４−イル）フタレート、
ビス（１−オキシル−２，２，６，６−テトラメチルピペリジン−４−イル）イソフタレート、
ビス（１−オキシル−２，２，６，６−テトラメチルピペリジン−４−イル）テレフタレート、
ビス（１−オキシル−２，２，６，６−テトラメチルピペリジン−４−イル）ヘキサヒドロテレフタレート、
Ｎ，Ｎ’−ビス（１−オキシル−２，２，６，６−テトラメチルピペリジン−４−イル）アジパミド、
Ｎ−（１−オキシル−２，２，６，６−テトラメチルピペリジン−４−イル）カプロラクタム、
Ｎ−（１−オキシル−２，２，６，６−テトラメチルピペリジン−４−イル）ドデシルスクシンイミド、
２，４，６−トリス（１−オキシル−２，２，６，６−テトラメチルピペリジン−４−イル）シアヌレート、
２，４，６−トリス〔Ｎ−ブチル−Ｎ−（１−オキシル−２，２，６，６−テトラメチルピペリジン−４−イル）〕−ｓ−トリアジン、
１−オキシル−２，２，６，６−テトラメチルピペリジン−４−イル３，５−ジ第三ブチル−４−ヒドロキシヒドロシンナメートまたは
４，４’−エチレンビス（１−オキシル−２，２，６，６−テトラメチルピペラジン−３−オン）。
【００１４】
特に好ましいのは、ヒンダードアミン脂肪族ニトロキシド、ビス（１−オキシル−２，２，６，６−テトラメチルピペリジン−４−イル）セバケートであり、５ｐｐｍの濃度で優れた有効性を示し、そして１ｐｐｍ以下の濃度でさえも有効性を示す。１−オキシル−２，２，６，６−テトラメチルピペリジン−４−オールもまた好ましい。
【００１５】
本発明のもう一つ別の態様は、有効安定剤系が脂肪族ニトロキシド化合物と芳香族アミン、特に置換フェニレンジアミンもしくはフェノール系酸化防止剤または芳香族アミンおよびフェノール系酸化防止剤の混合物との相乗混合物を含有する方法に関する。
脂肪族ニトロキシドの例および好ましいものは上記したとおりである。
好ましくは、芳香族アミンは置換フェニレンジアミンである。
【００１６】
特に好ましい芳香族アミンは以下のとおりである：
Ｎ，Ｎ’−ジイソプロピル−ｐ−フェニレンジアミン、
Ｎ，Ｎ’−ジ第二ブチル−ｐ−フェニレンジアミン、
Ｎ，Ｎ’−ジ第二ブチル−ｏ−フェニレンジアミン、
Ｎ，Ｎ’−ビス（１，４−ジメチルペンチル）−ｐ−フェニレンジアミン、
Ｎ，Ｎ’−ビス（１−エチル−３−メチルペンチル）−ｐ−フェニレンジアミン、
Ｎ，Ｎ’−ビス（１−メチルヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ジ（２−ナフチル）−ｐ−フェニレンジアミン、
Ｎ−イソプロピル−Ｎ’−フェニル−ｐ−フェニレンジアミン、
Ｎ−第二ブチル−Ｎ’−フェニル−ｏ−フェニレンジアミン、
Ｎ−（１，３−ジメチルブチル）−Ｎ’−フェニル−ｐ−フェニレンジアミン、
Ｎ−（１−メチルヘプチル）−Ｎ’−フェニル−ｐ−フェニレンジアミン、
Ｎ−シクロヘキシル−Ｎ’−フェニル−ｐ−フェニレンジアミン、
Ｎ，Ｎ’−ジメチル−Ｎ，Ｎ’−ジ第二ブチル−ｐ−フェニレンジアミン、
Ｎ，Ｎ’−ジ（１，４−ジメチルペンチル）−ｏ−フェニレンジアミン、
ジフェニルアミン、
Ｎ−アリルジフェニルアミン、
ジ（４−イソプロポキシフェニル）アミン、
Ｎ−フェニル−１−ナフチルアミン、
Ｎ−フェニル−２−ナフチルアミン、
オクチル化ジフェニルアミン、
ｐ，ｐ’−ジ第三オクチルジフェニルアミン、
ジ（４−メトキシフェニル）アミン、
第三オクチル化Ｎ−フェニル−１−ナフチルアミンまたは
モノ−およびジアルキル化第三ブチル−／第三オクチルジフェニルアミンの混合物。
【００１７】
とりわけ好ましいアミンはＮ−フェニル−１−ナフチルアミン、Ｎ−フェニル−２−ナフチルアミン、オクチル化ジフェニルアミン、ｐ，ｐ’−ジ第三オクチルジフェニルアミン、モノ−およびジアルキル化第三ブチル−／第三オクチルジフェニルアミンの混合物、またはＮ，Ｎ’−ジ（１，４−ジメチルペンチル）−ｐ−フェニレンジアミンである。
【００１８】
興味深いいくつかのフェノール系酸化防止剤を以下に列挙する：
アルキル化モノフェノール
２，６−ジ−第三ブチル−４−メチルフェノール、
２，６−ジ−第三ブチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノ−ル、
２−（β−メチルシクロヘキシル）−４，６−ジメチルフェノール、
２，６−ジオクタデシル−４−メチルフェノ−ル、
２，４，６−トリシクロヘキシルフェノール、
２，６−ジ−第三ブチル−４−メトキシメチルフェノール、
ｏ−第三ブチルフェノール。
【００１９】
アルキリデンビスフェノール
２，２’−メチレンビス（６−第三ブチル−４−メチルフェノール）、
２，２’−メチレンビス（６−第三ブチル−４−エチルフェノール）、
２，２’−メチレンビス〔４−メチル−６−（α−メチルシクロヘキシル）フェノール〕、
２，２’−メチレンビス（４−メチル−６−シクロヘキシルフェノール）、
２，２’−メチレンビス（６−ノニル−４−メチルフェノール）、
２，２’−メチレンビス（４，６−ジ−第三ブチルフェノール）、
２，２’−エチリデンビス（４，６−ジ−第三ブチルフェノール）、
２，２’−エチリデンビス（６−第三ブチル−４−または−５−イソブチルフェノール）、
２，２’−メチレンビス〔６−（α−メチルベンジル）−４−ノニルフェノール〕、
２，２’−メチレンビス〔６−（α，α−ジメチルベンジル）−４−ノニルフェノール〕、
４，４’−メチレンビス（２，６−ジ−第三ブチルフェノール）、
４，４’−メチレンビス（６−第三ブチル−２−メチルフェノール）、
１，１−ビス（５−第三ブチル−４−ヒドロキシ−２−メチルフェノール）ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）−３−ｎ−ドデシルメルカプトブタン、
エチレングリコールビス〔３，３−ビス（３’−第三ブチル−4'ーヒドロキシフェニル）ブチレート〕、
ビス（３−第三ブチル−４ーヒドロキシ−５−メチルフェニル）ジシクロペンタジエン、
ビス〔２−（３’−第三ブチル−２’ーヒドロキシ−５’−メチルベンジル）−６−第三ブチル−４−メチルフェニル〕テレフタレート。
【００２０】
特に興味深いフェノール系酸化防止剤はｎ−オクタデシル３，５−ジ第三ブチル−４−ヒドロキシヒドロシンナメート、ネオペンタンテトライルテトラキス（３，５−ジ第三ブチル−４−ヒドロキシヒドロシンナメート）、ジ−ｎ−オクタデシル３，５−ジ第三ブチル−４−ヒドロキシベンジルホスホネート、チオジエチレンビス（３，５−ジ第三ブチル−４−ヒドロキシヒドロシンナメート）、１，３，５−トリメチル−２，４，６−トリス（３，５−ジ第三ブチル−４−ヒドロキシベンジル）ベンゼン、３，６−ジオキサオクタメチレンビス（３−メチル−５−第三ブチル−４−ヒドロキシヒドロシンナメート）、２，６−ジ第三ブチル−ｐ−クレゾール、２，２’−エチリデン−ビス（４，６−ジ第三ブチルフェノール）、１，１，３−トリス（２−メチル−４−ヒドロキシ−５−第三ブチルフェニル）ブタン、３，５−ジ（３，５−ジ第三ブチル−４−ヒドロキシベンジル）メシトール、ヘキサメチレンビス（３，５−ジ第三ブチル−４−ヒドロキシヒドロシンナメート）、１−（３，５−ジ第三ブチル−４−ヒドロキシアニリノ）−３，５−ジ（オクチルチオ）−ｓ−トリアジン、Ｎ，Ｎ’−ヘキサメチレン−ビス（３，５−ジ第三ブチル−４−ヒドロキシヒドロシンナムアミド）、エチレンビス〔３，３−ジ（３−第三ブチル−４−ヒドロキシフェニル）ブチレート〕、オクチル３，５−ジ第三ブチル−４−ヒドロキシベンジルメルカプトアセテート、ビス（３，５−ジ第三ブチル−４−ヒドロキシヒドロシンナモイル）ヒドラジド、Ｎ，Ｎ’−ビス〔２−（３，５−ジ第三ブチル−４−ヒドロキシヒドロシンナモイルオキシ）−エチル〕−オキサミド、２，６−ジ第三ブチルフェノール、オクチル３，５−ジ第三ブチル−４−ヒドロキシヒドロシンナメートおよびメチル３，５−ジ第三ブチル−４−ヒドロキシヒドロシンナメートからなる群から選択される。
【００２１】
好ましいフェノール系酸化防止剤はネオペンタンテトライルテトラキス（３，５−ジ第三ブチル−４−ヒドロキシヒドロシンナメート）、ｎ−オクタデシル３，５−ジ第三ブチル−４−ヒドロキシヒドロシンナメート、１，３，５−トリメチル−２，４，６−トリス（３，５−ジ第三ブチル−４−ヒドロキシベンジル）ベンゼン、２，６−ジ第三ブチル−ｐ−クレゾール、２，２’−エチリデン−ビス（４，６−ジ第三ブチルフェノール）、メチル３，５−ジ第三ブチル−４−ヒドロキシヒドロシンナメート、オクチル３，５−ジ第三ブチル−４−ヒドロキシヒドロシンナメート、２，６−ジ第三ブチルフェノールまたは３，６−ジオキサオクタメチレンビス（３−メチル−５−第三ブチル−４−ヒドロキシヒドロシンナメート）である。
特に好ましいフェノール系酸化防止剤はメチル３，５−ジ第三ブチル−４−ヒドロキシヒドロシンナメート、オクチル３，５−ジ第三ブチル−４−ヒドロキシヒドロシンナメートまたは２，６−ジ第三ブチルフェノールである。
【００２２】
脂肪族ニトロキシド化合物と芳香族アミン、特に置換フェニレンジアミド、またはフェノール系酸化防止剤との上記のような混合物が使用される場合、有効安定化量は、脂肪族ニトロキシド化合物０．０５ないし５０００ｐｐｍおよび芳香族アミン、特に置換フェニレンジアミド、またはフェノール系酸化防止剤０．０５ないし５０００ｐｐｍであり、好ましくは脂肪族ニトロキシド化合物０．１ないし１００ｐｐｍと芳香族アミン、特に置換フェニレンジアミド、もしくはフェノール系酸化防止剤または芳香族アミンおよびフェノール系酸化防止剤の混合物０．１ないし１００ｐｐｍである。
【００２３】
上記した相乗混合物により提示される作用を同一分子中に併合することが可能である。そのような分子はL. P. NethsingheおよびG. Scott, Rubber Chem. Technology, 57(5), 918 (1984)に１−オキシル−２，２，６，６−テトラメチルピペリジン−４−イル３，５−ジ第三ブチル−４−ヒドロキシヒドロシンナメートとして記載された化合物である。
【００２４】
本発明の好ましい態様は、相乗混合物が脂肪族ニトロキシド化合物１ないし９５重量％および芳香族アミン、フェノール系酸化防止剤またはアミン：フェノール系酸化防止剤の比率が５：１ないし１：５であるそれらの混合物９９ないし５重量％である方法からなる。
より好ましい態様は、脂肪族ニトロキシド化合物５ないし７５重量％および芳香族アミン、フェノール系酸化防止剤またはアミン：フェノール系酸化防止剤の比率が２：１ないし１：２であるそれらの混合物９５ないし２５重量％である混合物からなる。
さらに好ましい態様は、脂肪族ニトロキシド化合物１０ないし５０重量％および芳香族アミン、フェノール系酸化防止剤またはアミン：フェノール系酸化防止剤の比率が１：１であるそれらの混合物９０ないし５０重量％である混合物からなる。
【００２５】
好ましい態様は、脂肪族ニトロキシドがビス（１−オキシル−２，２，６，６−テトラメチルピペリジン−４−イル）セバケートであり、芳香族アミンがＮ，Ｎ’−ジ（１，４−ジメチルペンチル）フェニレンジアミンであり、そしてフェノール系酸化防止剤がメチル３，５−ジ第三ブチル−４−ヒドロキシヒドロシンナメートである相乗混合物である。
【００２６】
本発明のもう一つ別の態様は、
（ａ）ガソリン、特に不安定なガソリン、例えば熱分解またはコークスガソリン、および
（ｂ）脂肪族ニトロキシド化合物の有効安定化量
からなる酸化分解に対して、およびガムまたは不所望の沈澱物形成に対して安定化された組成物に関するものである。
【００２７】
さらに別の態様は、脂肪族ニトロキシド化合物と芳香族アミン、特に置換フェニレンジアミンもしくはフェノール系酸化防止剤または芳香族アミンおよびフェノール系酸化防止剤の混合物との有効相乗混合物を含有する酸化分解に対して、およびガムまたは不所望の沈澱物形成に対して安定化されたガソリン組成物である。
個々の成分に対する好ましい比率および量を包含する例および好ましいものは、上記されており、そして組成物にも当てはまる。
好ましくはガソリンは熱分解ガソリンまたはコークスガソリンである。
【００２８】
【発明の実施の形態】
上記本発明の組成物は、脂肪族ニトロキシド、芳香族アミンまたはフェノール系酸化防止剤をガソリンに直接溶解することにより製造され得る。しかしながら、適当な溶媒中に各成分を溶解すること、およびガソリンに予め溶解した各成分を添加することも可能である。
適当な溶媒は、例えば脂肪族炭化水素、芳香族炭化水素、例えばベンゼン、トルエンまたはキシレン、ケトンまたはエーテルである。
【００２９】
本発明のその他の態様は、ガソリンを酸化分解に対して、およびガムまたは不所望の沈澱物形成に対して安定化するために脂肪族ニトロキシドを使用する方法、およびガソリンを酸化分解に対して、およびガムまたは不所望の沈澱物形成に対して安定化するために脂肪族ニトロキシド化合物と芳香族アミンもしくはフェノール系酸化防止剤または芳香族アミンおよびフェノール系酸化防止剤の混合物との相乗混合物を使用する方法に関する。
【００３０】
【実施例】
以下の実施例は説明のためだけのものである。
いくつかの標準的促進試験方法が一般的な燃料、そして特にガソリンの安定性の評価にために知られている。ガソリンに対する２種類の共通のＡＳＴＭ法は以下のとおりである（１）ガソリンの酸化安定性のためのＤ５２５試験方法（誘導期間法）；および（２）航空燃料の酸化安定性のためのＤ８７３試験方法（潜在的残留法）。Schrepfer およびStansky はGasoline Stability Testing and Inhibitor Application, Nation Fuels and Lubricants Meeting, (1981) に、後者の方法が安定および不安定ガソリンの両方における長期沈澱物形成の予測により適していることを報告した。この方法は本発明の脂肪族ニトロキシド安定剤を評価するために使用される。
【００３１】
実施例１
実施例において使用されるガソリンの試料はオレフィン製造ユニット（パイガス）から集められる。それは阻害剤不含有のＣ5 およびＣ9+流（ストリーム）の１：１ブレンドである。試料は氷浴中の無酸素容器に集められ、そして窒素雰囲気下で冷蔵庫に保存される。
ＡＳＴＭ  Ｄ８７３−８８に従って、ボンベ中の熱分解ガソリン試料１００ｍＬを酸素雰囲気下で沸騰水浴中４時間加熱する。安定化されたガソリン試料は熱分解ガソリン９８ｍＬに安定剤のトルエン溶液２ｍＬを添加し全量を１００ｍＬとすることにより調製される。加熱後、老化ガソリンをボンベから取り出し、そして生成した全ガムを測定する。
下の表１は、公知ガソリン安定剤Ｎ，Ｎ’−ジ（１，４−ジメチルペンチル）フェニレンジアミンを単独またはヒンダードフェノール系補助安定剤と共に試験される場合に得られた結果を含む。これらの配合物は、脂肪族ニトロキシド安定剤系の有効性を比較するための基準として示すために評価される。
【００３２】
【表１】
0003843380.tif 000002
【００３３】
ＡはＮ，Ｎ’−ジ（１，４−ジメチルペンチル）フェニレンジアミンである。Ｂはオクチル３，５−ジ第三ブチル−４−ヒドロキシヒドロシンナメートである。
Ｃはメチル３，５−ジ第三ブチル−４−ヒドロキシヒドロシンナメートである。
置換フェニレンジアミン（Ａ）とフェノール系酸化防止剤（Ｂ）との各々の濃度が１２．５ｐｐｍの組合せは２．２ｍｇ／１００ｍＬのガム形成を生じ、一方、各々の濃度を２５ｐｐｍとするフェノール系酸化防止剤（Ｃ）と組み合わせた化合物（Ａ）は、望ましい低いレベルまでガム形成を低減する（１．１ｍｇ／１００ｍＬ）。
【００３４】
表２は単独で使用した場合の脂肪族ニトロキシド安定剤の有効性を示す。１ｐｐｍの濃度でさえも、脂肪族ニトロキシドは１０ｐｐｍの置換フェニレンジアミン安定剤とほぼ同等と性能を有する。
【００３５】
【表２】
0003843380.tif 000003
【００３６】
Ｄはビス（１−オキシル−２，２，６，６−テトラメチルピペリジン−４−イル）セバケートである。
Ｇは１−オキシル−２，２，６，６−テトラメチルピペリジン−４−オールである。
１０ｐｐｍの濃度での脂肪族ニトロキシドＤおよびＧは１０ｐｐｍの置換フェニレンジアミンＡに比べガム形成の防止においておよそ１０倍有効である。
【００３７】
脂肪族ニトロキシドは当該分野の現状のものに比べ、より優れた安定化性能を示すけれども、この性能は、表３に示され得るように、上記脂肪族ニトロキシドと種々の補助安定剤との相乗混合物を用いることによりさらに改良され得る。
【００３８】
【表３】
0003843380.tif 000004
【００３９】
ＡはＮ，Ｎ’−ジ（１，４−ジメチルペンチル）フェニレンジアミンである。
Ｃはメチル３，５−ジ第三ブチル−４−ヒドロキシヒドロシンナメートである。
Ｄはビス（１−オキシル−２，２，６，６−テトラメチルピペリジン−４−イル）セバケートである。
Ｆはジ（４−第三オクチルフェニル）アミンである。
Ｇは１−オキシル−２，２，６，６−テトラメチルピペリジン−４−オールである。
【００４０】
表３から、ヒンダードアミン脂肪族ニトロキシドＤまたはＧと置換フェニレンジアミンＡまたはフェノール系酸化防止剤Ｃとの組合せが相乗的安定化を与えることが明らかである。脂肪族ニトロキシドＤと、それ自体ではほとんど不活性であるジアリールアミンＦとの混合物でさえも、有効な安定化を与える。